【手続補正書】
【提出日】平成24年1月10日(2012.1.10)
【手続補正１】
【補正対象書類名】特許請求の範囲
【補正対象項目名】全文
【補正方法】変更
【補正の内容】
【特許請求の範囲】
【請求項１】
通常電力モード及び省電力モードを含む複数の電力モードのうちいずれかの電力モードで動作する情報処理装置であって、
第１の記憶手段及び第２の記憶手段と、
前記情報処理装置が前記通常電力モードで動作しているときに動作し、前記第１の記憶手段が別の記憶手段に交換された場合に前記第２の記憶手段に記憶されている情報を前記別の記憶手段に記憶させるリビルド処理を実行するよう指示する第１の制御手段と、
前記第１の制御手段が前記リビルド処理を実行するよう指示したことに応じて、前記リビルド処理を実行する第２の制御手段と、
前記情報処理装置が前記省電力モードで動作している状態で前記第２の制御手段による前記リビルド処理でエラーが発生した場合に、前記情報処理装置の電力モードを前記省電力モードから前記通常電力モードへ移行させる移行処理を実行する移行手段と、を備え、
前記第１の制御手段は、前記移行手段が前記移行処理を実行したことに応じて、前記リビルド処理を再実行するよう指示し、
前記第２の制御手段は、前記第１の制御手段が前記リビルド処理を再実行するよう指示したことに応じて、前記リビルド処理を再実行する、ことを特徴とする情報処理装置。
【請求項２】
前記第１の記憶装置及び前記第２の記憶装置のいずれか一方でエラーが発生した場合に、当該エラーの発生を通知する通知手段を更に備え、
前記通知手段が前記通知を行った後、前記エラーが発生した方の記憶装置が交換された場合に、前記第２の制御手段が前記リビルド処理を実行することを特徴とする請求項１に記載の情報処理装置。
【請求項３】
前記第２の制御手段によるリビルド処理でエラーが発生したことに起因して前記情報処理装置の電力モードが前記省電力モードから前記通常電力モードに移行された場合に、前記第２の制御手段に対して、前記リビルド処理を再度実行するよう要求する要求手段を更に備えることを特徴とする請求項１または２に記載の情報処理装置。
【請求項４】
前記情報処理装置の電力モードが前記省電力モードから前記通常電力モードに移行された場合に、当該電力モードの移行が前記第２の制御手段によるリビルド処理でエラーが発生したことに起因するものであるか否かを判定する判定手段を更に備え、
前記要求手段は、前記判定手段が、前記電力モードの移行が前記第２の制御手段によるリビルド処理でエラーが発生したことに起因するものであると判定した場合に前記要求を行い、前記電力モードの移行が前記第２の制御手段によるリビルド処理でエラーが発生したことに起因するものでないと判定した場合は前記要求を行わないことを特徴とする請求項３に記載の情報処理装置。
【請求項５】
前記要求手段が前記要求を行った後、所定の条件を満たした場合に、前記制御手段は、前記情報処理装置の電力モードを前記通常電力モードから前記省電力モードへ移行させることを特徴とする請求項３または４に記載の情報処理装置。
【請求項６】
前記第２の制御手段によるリビルド処理で発生したエラーの回数が所定の回数に達した場合に、前記リビルド処理が失敗したことを通知するための画面を表示させる表示制御手段を更に備えることを特徴とする請求項１から５のいずれか１項に記載の情報処理装置。
【請求項７】
前記第１の記憶装置及び前記第２の記憶装置を用いてミラーリング処理を実行するミラーリング処理手段を更に備えることを特徴とする請求項２に記載の情報処理装置。
【請求項８】
前記ミラーリング処理手段がミラーリング処理を実行しているときに、前記第１の記憶装置または前記第２の記憶装置でエラーが発生した場合に、当該エラーが発生した箇所を修復するリストア処理を実行するリストア処理手段を更に備えることを特徴とする請求項７に記載の情報処理装置。
【請求項９】
前記リストア処理手段によるリストア処理でエラーが発生した場合に、前記通知手段が前記通知を行うことを特徴とする請求項８に記載の情報処理装置。
【請求項１０】
前記移行手段は、前記情報処理装置が前記省電力モードで動作している状態で、前記第２の制御手段による前記リビルド処理が正常に終了した場合は、前記移行処理を実行しないことを特徴とする請求項１乃至９のいずれか１項に記載の情報処理装置。
【請求項１１】
前記情報処理装置は、用紙に画像を印刷する印刷装置であることを特徴とする請求項１乃至１０のいずれか１項に記載の情報処理装置。
【請求項１２】
第１の記憶手段及び第２の記憶手段を備え、通常電力モード及び省電力モードを含む複数の電力モードのうちいずれかの電力モードで動作する情報処理装置の制御方法であって、
前記情報処理装置が前記通常電力モードで動作しているときに、前記第１の記憶手段が別の記憶手段に交換された場合に前記第２の記憶手段に記憶されていた情報を前記別の記憶手段に記憶させるリビルド処理を実行するよう指示する第１の制御工程と、
前記第１の制御工程で前記リビルド処理を実行するよう指示されたことに応じて、前記リビルド処理を実行する第２の制御工程と、
前記情報処理装置が前記省電力モードで動作している状態で実行される前記リビルド処理でエラーが発生した場合に、前記情報処理装置の電力モードを前記通常電力モードへ移行させる移行処理を実行する移行工程と、
前記移行工程で前記移行処理が実行されたことに応じて、前記リビルド処理を再実行するよう指示する第３の制御工程と、
前記第３の制御工程で前記リビルド処理を再実行するよう指示されたことに応じて、前記リビルド処理を再実行する第４の制御工程と
を備えることを特徴とする情報処理装置の制御方法。
【請求項１３】
請求項１２に記載の情報処理装置の制御方法をコンピュータに実行させるためのプログラム。
【請求項１４】
請求項１２に記載の情報処理装置の制御方法をコンピュータに実行させるためのプログラムを記憶したコンピュータ読み取り可能な記憶媒体。
【手続補正２】
【補正対象書類名】明細書
【補正対象項目名】００１４
【補正方法】変更
【補正の内容】
【００１４】
上記の目的を達成するために本発明の情報処理装置は、通常電力モード及び省電力モードを含む複数の電力モードのうちいずれかの電力モードで動作する情報処理装置であって、第１の記憶手段及び第２の記憶手段と、前記情報処理装置が前記通常電力モードで動作しているときに動作し、前記第１の記憶手段が別の記憶手段に交換された場合に前記第２の記憶手段に記憶されている情報を前記別の記憶手段に記憶させるリビルド処理を実行するよう指示する第１の制御手段と、前記第１の制御手段が前記リビルド処理を実行するよう指示したことに応じて、前記リビルド処理を実行する第２の制御手段と、前記情報処理装置が前記省電力モードで動作している状態で前記第２の制御手段による前記リビルド処理でエラーが発生した場合に、前記情報処理装置の電力モードを前記省電力モードから前記通常電力モードへ移行させる移行処理を実行する移行手段と、を備え、前記第１の制御手段は、前記移行手段が前記移行処理を実行したことに応じて、前記リビルド処理を再実行するよう指示し、前記第２の制御手段は、前記第１の制御手段が前記リビルド処理を再実行するよう指示したことに応じて、前記リビルド処理を再実行する、ことを特徴とする。
【手続補正３】
【補正対象書類名】明細書
【補正対象項目名】００１５
【補正方法】変更
【補正の内容】
【００１５】
上記の目的を達成するために本発明の情報処理装置の制御方法は、第１の記憶手段及び第２の記憶手段を備え、通常電力モード及び省電力モードを含む複数の電力モードのうちいずれかの電力モードで動作する情報処理装置の制御方法であって、前記情報処理装置が前記通常電力モードで動作しているときに、前記第１の記憶手段が別の記憶手段に交換された場合に前記第２の記憶手段に記憶されていた情報を前記別の記憶手段に記憶させるリビルド処理を実行するよう指示する第１の制御工程と、前記第１の制御工程で前記リビルド処理を実行するよう指示されたことに応じて、前記リビルド処理を実行する第２の制御工程と、前記情報処理装置が前記省電力モードで動作している状態で実行される前記リビルド処理でエラーが発生した場合に、前記情報処理装置の電力モードを前記通常電力モードへ移行させる移行処理を実行する移行工程と、前記移行工程で前記移行処理が実行されたことに応じて、前記リビルド処理を再実行するよう指示する第３の制御工程と、前記第３の制御工程で前記リビルド処理を再実行するよう指示されたことに応じて、前記リビルド処理を再実行する第４の制御工程とを備えることを特徴とする。